【事件の表示】
　特許第２７９８２２４号「化粧用品」の特許に対する特許異議の申立てについて、次のとおり決定する。
【結論】
　訂正を認める。
　特許第２７９８２２４号の特許を維持する。
【理由】
（１）手続の経緯
　本件特許第２７９８２２４号発明は、平成３年６月２６日に特許出願され、平成１０年７月３日にその特許の設定登録がなされ、その後、日本カーバイド工業株式会社より特許異議の申し立てがなされ、当審により取り消し理由通知がなされ、その指定期間内である平成１１年８月１７日に、訂正明細書のとおり、すなわち、下記のとおり訂正することを内容とする訂正請求がなされたものである。
（２）訂正の内容
ア．特許請求の範囲の請求項１の「またはこれと液剤（Ｂ）とを必要量取り出しまたは吐出する」を「および液剤（Ｂ）を必要量吐出する」と訂正し、「ことを特徴とする」を「こと、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とする」と訂正する。
イ．明細書の段落【０００１】の「を用いた」を「と特定の取出機構を備えた容器とを用いた」と訂正し、
　段落【００１６】の「容器から必要量を取り出すことができるので」を「容器と蛇腹型の取出機構とが一体型になった特定の容器を用いることにより、そのキャビア状カプセルを液剤と共に容器から必要量だけ静かに取り出すことができるので、」と訂正し、
　段落【００１７】の「またはこれと液剤（Ｂ）とを必要量取り出しまたは吐出する」を「および液剤（Ｂ）を必要量吐出する」と訂正し、
　段落【００１７】の「ことを特徴とするものである。」を「こと、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とするものである。」と訂正する。
　段落【００３３】の「容器（１）の形状および材質は適宜に設計できる。取出機構（２）も種々のものを採用できるが、キャビア状カプセル（Ａ）を破壊することなく取り出しまたは吐出する、ことができるような、スポイト体または蛇腹体とすることが望ましい。スポイト体または蛇腹体を用いれば、減圧または加圧を」を「そして本発明においては、この取出機構（２）を備えた容器（１）として、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されているものを用いる。このような取出機構（２）を備えた容器（１）を用いれば、加圧を」と訂正し、
　明細書の段落【００３４】の「典型的には、取出機構（２）を用いて容器（１）内からキャビア状カプセル（Ａ）のみあるいはキャビア状カプセル（Ａ）と液剤（Ｂ）とを手のひら上に取り出すか吐出し、」を取出機構（２）を用いて容器（１）内からキャビア状カプセル（Ａ）と液剤（Ｂ）とを手のひら上に吐出し、」と訂正する。
ウ．明細書の旧段落【００４２】、【００４３】、【００４４】、【００４７】の段落番号および内容を全て削除する。
エ．明細書の旧段落【００４８】の内容をそのまま新段落【００４２】に移動する。
オ．明細書の旧段落【００４５】、【００４６】の段落番号のみを、それぞれ新段落番号【００４３】、【００４４】とする。
オ．明細書の旧段落番号【００４９】を新段落番号【００４５】と訂正すると共に、その段落の内容のうちの「容器（１）から必要量を」を「蛇腹型の取出機構（２）とが一体型になっている容器（１）からキャビア状カプセル（Ａ）および液剤（Ｂ）の必要量を静かに」と訂正する。
カ．図面の簡単な説明の欄の「【図２】本発明の化粧用品の他の一例を示した断面図である。」を削除し、
　図面の簡単な説明の欄の「【符号の説明】のうちの「（１１）・・・開口部，（１２）・・・装飾部、」を削除し、
　かつ、図１を削除すると共に、図２の標題を図１と訂正する。
（３）訂正の適否についての判断
　そこで、これらの訂正事項について検討すると上記の訂正事項アは、特許請求の範囲の減縮を目的とするものであり、訂正事項イ〜カは上記訂正アによる特許請求の範囲の減縮に伴って発明の詳細な説明の記載を整合させたものであるから、明りょうでない記載の釈明にあたる。
　そして、上記の各訂正事項は、特許明細書に記載された事項の範囲内のものであって、かつ、実質上特許請求の範囲を拡張し又は変更するものではない。
　また、下記（４）に示す理由により、訂正後の特許請求の範囲の請求項１に係る発明が、特許出願の際独立して特許を受けることができない発明ではない。
　以上のとおりであるから、上記訂正請求は、特許法第１２０条の４第２項及び同条第３項で準用する第１２６条第２乃至４項の規定に適合するので、当該訂正を認める。
（４）特許異議の申立てについての判断
ア．本件発明
　訂正後の特許請求の範囲の請求項１に係る発明は以下のとおりのものである。
「【請求項１】
　擦壊時に残渣が残らない易擦壊性のキャビア状カプセル（Ａ）を液剤（Ｂ）中に存在させてなる化粧料を、前記のキャビア状カプセル（Ａ）および液剤（Ｂ）を必要量吐出するための取出機構（２）を備えた容器（１）内に収容してなる化粧用品であって、前記のキャビア状カプセル（Ａ）は、グリセリンを含む希薄なアルギン酸ナトリウム水溶液が液滴の全体または液滴の少なくとも周辺側に位置するようにした滴下液を、該滴下液中のグリセリン濃度がその滴下液の比重を受液の比重よりも大にするに足る濃度に設定された状態で、希薄な水溶性カルシウム塩水溶液からなる受液中に滴下することにより得られたものであり、さらに前記のキャビア状カプセル（Ａ）および液剤（Ｂ）の双方には、油性または水溶性の有効成分が含まれていること、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とする化粧用品。」（以下、「本件発明」という。）
イ．申立ての理由の概要
　特許異議申立人日本カーバイド工業株式会社は、甲第１号証（特開平３−６８５０８号公報）及び甲第２号証（特開平３−４１６１０号公報）を提出し、特許請求の範囲の請求項１に係る発明は、上記甲第１及び２号証に記載された発明に基づき、当業者が容易になし得た程度のものであるから、特許法第２９条第２項の規定により特許を受けることができないものであり、したがって、本件請求項１に係る発明の特許は、特許法第１１３条第１項第２号の規定に該当し、取り消されるべきものであると主張する。
ウ．判断
　甲第１号証には、本件発明の特定の容器に収容された化粧用品のうち、収容される化粧料については（擦壊時に残渣が残らない易擦壊性のキャビア状カプセルを液剤中に存在させてなる化粧料）であって、前記のキャビア状カプセルが（グリセリンを含む希薄なアルギン酸ナトリウム水溶液が液滴の全体または液滴の少なくとも周辺側に位置するようにした滴下液を、該滴下液中のグリセリン濃度がその滴下液の比重を受液の比重よりも大にするに足る濃度に設定された状態で、希薄な水溶性カルシウム塩水溶液からなる受液中に滴下することにより得られたものである）こと、および前記キャビア状カプセル及び液剤の双方に（油性または水溶性の有効成分が含まれている）ことが記載されているが、この化粧料を収容する容器についてはなにも記載するところがなく、一方甲第２号証に記載された発明は「スポイト容器」であって、「液状化粧料はスポイト筒（７）の吸入口部（８）から伸縮部材（５）の内部に向かって吸引され、・・・吸入口部（８）より吐出される。」（マイクロフィルム第５頁）として、液体化粧料を吐出するに先だって吸引することを必須とするものは記載されているが、本件発明における特定の容器、すなわちキャビア状カプセル（Ａ）および液剤（Ｂ）を必要量吐出するための取出機構（２）を備え、その取出機構（２）の上部側が作動部（２１）、下部側が開口部（２２）であるのみならず、上部側と下部側との間が容器（１）となっていて、容器（１）と蛇腹型の取出機構（２）とが一体型になっていると共に前記のキャビア状カプセル（Ａ）と液剤（Ｂ）とがあらかじめその容器（１）内に収容されているものについてはなにも記載するところがないので、甲第１号証に記載の発明と甲第２号証に記載の発明を組み合わせて本件発明を想到することは、当業者が容易になし得ないものである。
　したがって、特許異議申立人の主張は妥当でない。
エ．むすび
　以上のとおりであるから、特許異議申立ての理由及び提出した証拠によっては、本件発明についての特許を取り消すことはできない。
　よって、結論のとおり決定する。
【異議決定日】
平成１１年９月１６日（１９９９．９．１６）
【訂正の要旨】
　　　　　　　　　　　　　　訂正の要旨
ア．特許請求の範囲の請求項１の「またはこれと液剤（Ｂ）とを必要量取り出しまたは吐出する」を「および液剤（Ｂ）を必要量吐出する」と訂正し、「ことを特徴とする」を「こと、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とする」と訂正する。
イ．明細書の段落【０００１】の「を用いた」を「と特定の取出機構を備えた容器とを用いた」と訂正し、
　段落【００１６】の「容器から必要量を取り出すことができるので」を「容器と蛇腹型の取出機構とが一体型になった特定の容器を用いることにより、そのキャビア状カプセルを液剤と共に容器から必要量だけ静かに取り出すことができるので、」と訂正し、
　段落【００１７】の「またはこれと液剤（Ｂ）とを必要量取り出しまたは吐出する」を「および液剤（Ｂ）を必要量吐出する」と訂正し、
　段落【００１７】の［ことを特徴とするものである。」を「こと、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とするものである。」と訂正する。
　段落【００３３】の「容器（１）の形状および材質は適宜に設計できる。取出機構（２）も種々のものを採用できるが、キャビア状カプセル（Ａ）を破壊することなく取り出しまたは吐出する、ことができるような、スポイト体または蛇腹体とすることが望ましい。スポイト体または蛇腹体を用いれば、減圧または加圧を」を「そして本発明においては、この取出機構（２）を備えた容器（１）として、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されているものを用いる。このような取出機構（２）を備えた容器（１）を用いれば、加圧を」と訂正し、
　明細書の段落【００３４】の「典型的には、取出機構（２）を用いて容器（１）内からキャビア状カプセル（Ａ）のみあるいはキャビア状カプセル（Ａ）と液剤（Ｂ）とを手のひら上に取り出すか吐出し、」を取出機構（２）を用いて容器（１）内からキャビア状カプセル（Ａ）と液剤（Ｂ）とを手のひら上に吐出し、」と訂正する。
ウ．明細書の旧段落【００４２】、【００４３】、【００４４】、【００４７】の段落番号および内容を全て削除する。
エ．明細書の旧段落【００４８】の内容をそのまま新段落【００４２】に移動する。
オ．明細書の旧段落【００４５】、【００４６】の段落番号のみを、それぞれ新段落番号【００４３】、【００４４】とする。
オ．明細書の旧段落番号【００４９】を新段落番号【００４５】と訂正すると共に、その段落の内容のうちの「容器（１）から必要量を」を「蛇腹型の取出機構（２）とが一体型になっている容器（１）からキャビア状カプセル（Ａ）および液剤（Ｂ）の必要量を静かに」と訂正する。
カ．図面の簡単な説明の欄の「【図２】本発明の化粧用品の他の一例を示した断面図である。」を削除し、
　図面の簡単な説明の欄の「【符号の説明】のうちの「（１１）・・・開口部，（１２）・・・装飾部、」を削除し、
　かつ、図１を削除すると共に、図２の標題を図１と訂正する。
（５４）【発明の名称】
化粧用品
（５７）【特許請求の範囲】
　　　　【請求項１】
　擦壊時に残渣が残らない易擦壊性のキャビア状カプセル（Ａ）を液剤（Ｂ）中に存在させてなる化粧料を、前記のキャビア状カプセル（Ａ）および液剤（Ｂ）を必要量吐出するための取出機構（２）を備えた容器（１）内に収容してなる化粧用品であって、前記のキャビア状カプセル（Ａ）は、グリセリンを含む稀薄なアルギン酸ナトリウム水溶液が液滴の全体または液滴の少なくとも周辺側に位置するようにした滴下液を、該滴下液中のグリセリン濃度がその滴下液の比重を受液の比重よりも大にするに足る濃度に設定された状態で、稀薄な水溶性カルシウム塩水溶液からなる受液中に滴下することにより得られたものであり、さらに前記のキャビア状カプセル（Ａ）および液剤（Ｂ）の双方には、油性または水溶性の有効成分が含まれていること、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とする化粧用品。
【発明の詳細な説明】
　　　【０００１】
　　　　【産業上の利用分野】
　　本発明は、キャビア状カプセルと特定の取出機構を備えた容器とを用いた化粧用品に関するものである。
　　　【０００２】
　　　　【従来の技術】
　化粧料は、肌や毛髪を美しく清潔に保つことを主たる目的として日常の生活に深くかかわりを持っている。
　　　【０００３】
　化粧料は、その製品の種類や数において膨大な量が市場に流通していることから、より有効な化粧目的の達成のためおよび製品の差別化のため、使用成分や容器の外観に工夫を凝らしたものが盛んに開発されている。
　　　【０００４】
　このようなものの一つに、有効成分を内包させたキャビア状カプセルを用いた化粧料が知られている。
　　　【０００５】
　このキャビア状カプセルは、文字通りキャビアのような感触、外観を有する球体であり、使用に際しては、スプーンにより容器から必要量のカプセルをすくい出してガーゼの中央部に載せ、この載せた部分を中心にカプセルを「たんぽ」のように包み込んでひねり、その状態を手で押さえて維持しながら肌に押し当てる。これによりカプセルがガーゼから飛び出すことなく、カプセル中の有効成分が浸出して肌に浸透する。
　　　【０００６】
　一方、このようなキャビア状カプセルは、人工イクラ、ゼリーなどとして食品の分野にも応用されている。
　　　【０００７】
　たとえば、特開昭５５−１４８０７２号公報には、内包される層（Ａ）および被膜層（Ｂ）からなる可食性粒子において、内包される層（Ａ）がゾルまたはゲルであり、被膜層（Ｂ）が含水率８５〜９５％のゲルであるイラク様人工魚卵が示されている。この人工魚卵は、明細書の記載によれば、歯で噛んだときの「ブチュー」という感じが、天然イクラに似たものとなるとしている。
　　　【０００８】
　また、特開昭５６−３２９７４号公報には、水溶性アルギン酸塩（Ａ）およびペクチン（Ｂ）を含有しかつ（Ｂ）／（Ａ）の重量比が約０．２〜約３である体内摂取可能な金属イオンでゲル化し得る可食性ゾル皮膜層と、該層内に内包され該金属イオンで実質的にゲル化しない可食性ゾルとを有してなる未ゲル化人工魚卵を、該金属イオンでゲル化処理した後、燻液で処理してなるイクラ様人工魚卵が示されている。この人工魚卵は、従来のものに比して柔軟でありながら、強靭で緻密な外層で被膜され、天然イクラの口当たり、食感および含水率に類似するものであるとしている。
　　　【０００９】
　そのほか、特開昭５５−１０２３７３号公報、特開昭５５−１１４２７３号公報などにも、人工イクラを製造する方法が示されている。
　　　【００１０】
　そして、特公昭４８−１６１８３号公報には、カプセル体の芯部を構成する流動体に多価金属塩を添加した混合物を、アルギン酸塩または低メトキシルペクチンもしくはそれらの混合物の溶液と接触させてゲル状皮膜を形成することを特徴とする安定な流動体を内蔵したカプセル体の製造法が示されており、得られたカプセル体は、ゼリー食品、アイスクリーム添加物、医薬類カプセル、栄養剤類カプセルとして応用できるとされている。
　　　【００１１】
　また特開平２−１１７６１０号公報には、０／Ｗ型エマルジョンを内包したカプセルを含有する化粧料であって、カプセル膜がカプセル全量に対し０．１〜１．０重量％のアルギン酸カルシウムからなるエマルジョン内包カプセル含有化粧料が示されている。
　　　【００１２】
　　【発明が解決しようとする課題】
　上述のキャビア状カプセルを化粧料に応用した製品は、外観上や有効成分の担持方法などが高級感をイメージさせることから、消費者の心理をついた斬新なものであるが、カプセルのみをそのまま化粧料として用いるようにしているので、
▲１▼　カプセルの皮膜層が外気に直接触れることになり、内包された有効成分や溶媒が経時的に揮散すること、
▲２▼　カプセルを容器から取り出すためにスプーンを用いるが、その際にカプセルを破壊することがあること、
▲３▼　カプセル保存時に自重により有効成分が滲み出しやすいこと、などの問題点を有する。
　　　【００１３】
　そこで、このような事態を避けるために、キャビア状カプセルの皮膜層を強靭かつ緻密化する方法が採られるが、そのようにすると、キャビア状カプセルを破壊したときに皮膜層が残渣として残ることになる。そのため、このキャビア状カプセルを直接手で肌に適用すると、皮膜残渣が手や肌に残存し、外観上見苦しいばかりでなく不快感を与える。キャビア状カプセルを食品に応用する場合には、噛むという操作があるため、カプセルを破壊したときの皮膜残渣の存在は必ずしもマイナス点とはならないが、化粧料の場合には皮膜残渣の存在は致命的とも言える欠点になる。
　　　【００１４】
　従って、キャビア状カプセルを肌に適用する場合には、前述のようにカプセルをガーゼで「たんぽ」のように包み込むことが必要となるが、そのような包み込み操作は煩わしいものである上、ガーゼという介在物によってキャビア状カプセルの触感が直接肌に伝わらなくなり、さらにはキャビア状カプセルに内包させた有効成分の肌への浸透性も不充分となる。
　　　【００１５】
　特開平２−１１７６１０号公報のエマルジョン内包カプセル含有化粧料は、皮膜残渣の点を解消しようとしたものであるが、そのカプセル調製例からも明らかなように比重の軽い油性成分を相当量含んでいるため（たとえば、スクワランは０．８１、流動パラフィンは０．８４〜０．８９、植物油は一般に０．９１〜０．９５）、滴液が受液中に浮いて真球とならなかったり、後続の滴下液が先行の滴下液に邪魔されて合体したりすることがある。
　　　【００１６】
　本発明は、このような状況を鑑み、容器内には高級感ある真球のキャビア状カプセルが液剤中に存在しており、そのキャビア状カプセルおよび液剤中の有効成分を最大限に利用でき、キャビア状カプセルの擦壊時には残渣が残らず、しかも容器と蛇腹型の取出機構とが一体型になった特定の容器を用いることにより、そのキャビア状カプセルを液剤と共に容器から必要量だけ静かに取り出すことができるので、使い勝手が極めて良好である化粧用品を提供することを目的とするものである。
　　　【００１７】
　　【課題を解決するための手段】
　本発明の化粧用品は、擦壊時に残渣が残らない易擦壊性のキャビア状カプセル（Ａ）を液剤（Ｂ）中に存在させてなる化粧料を、前記のキャビア状カプセル（Ａ）および液剤（Ｂ）を必要量吐出するための取出機構（２）を備えた容器（１）内に収容してなる化粧用品であって、前記のキャビア状カプセル（Ａ）は、グリセリンを含む稀薄なアルギン酸ナトリウム水溶液が液滴の全体または液滴の少なくとも周辺側に位置するようにした滴下液を、該滴下液中のグリセリン濃度がその滴下液の比重を受液の比重よりも大にするに足る濃度に設定された状態で、稀薄な水溶性カルシウム塩水溶液からなる受液中に滴下することにより得られたものであり、さらに前記のキャビア状カプセル（Ａ）および液剤（Ｂ）の双方には、油性または水溶性の有効成分が含まれていること、および、前記の取出機構（２）を備えた容器（１）は、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されていることを特徴とするものである。
　　　【００１８】
　以下本発明を詳細に説明する。なお本発明に言う化粧料とは、化粧ないし美容の用途のみならず、健康用途、スポーツ用途、浴用用途、さらには火傷や湿疹治療など医薬部外剤的な用途をも含むものとする。
　　　【００１９】
　キャビア状カプセル（Ａ）は、滴下液および受液の２液間の界面で起きる化学反応を利用した不溶化法や液中硬化被膜法によって形成することができる。
　　　【００２０】
　滴下液としては、皮膜形成性、コスト、触感のすぐれたアルギン酸ナトリウムの水溶液が用いられる。アルギン酸ナトリウムのほか、アルギン酸プロピレングリコールエステル、ポリアクリル酸ナトリウム、ポリアクリルアミド、ポリビニルアルコール、ポリエチレンオキサイド、カゼイン、ペクチン、寒天、カラギーナン、コーンスターチ、グルテン、デキストリン、グアーガム、アラビアゴム、ローカストビーンゴム、メチルセルロース、カルボキシメチルセルロースなどを含んでいても差し支えない。
　　　【００２１】
　アルギン酸ナトリウム水溶液におけるアルギン酸ナトリウムの濃度は、０．０５〜２重量％、殊に０．１〜１．５重量％というように比較的稀薄な濃度に設定することが好ましい。その濃度がある限定を越えて高くなると、キャビア状カプセル（Ａ）としたときの皮膜強度が過多になって、使用時に皮膜残渣を生ずるようになり、一方その濃度が極端に低いときはキャビア状カプセル（Ａ）の強度が不足するようになる。
　　　【００２２】
　滴下液中のグリセリン濃度は、その滴下液の比重を受液の比重よりも大にするに足る濃度に設定される。滴下液に含有させたグリセリンは、アルギン酸ナトリウムや有効成分との相溶性が良いことはもとより、比重が１．２６と高いので滴下した滴下液が受液中に沈んで真球となるのみならず、先行の滴下液が受液中に沈むので、後続の滴下液も先行の滴下液に邪魔されることなく受液中に沈んで真球となる。グリセリンは、使用時には皮膚に対する伸びに貢献する。
　　　【００２３】
　受液としては、塩化カルシウム、乳酸カルシウム、酢酸カルシウムなどの水溶性カルシウム塩の水溶液が用いられる。このときの水溶性カルシウム塩の水溶液の濃度も、０．１〜３重量％、殊に０．１〜２重量％というように比較的稀薄な濃度に設定することが好ましい。その濃度がある限定を越えて高くなると、キャビア状カプセル（Ａ）としたときの皮膜強度が過多になって、使用時に皮膜残渣を生ずるようになり、一方その濃度が極端に低いときはキャビア状カプセル（Ａ）の強度が不足するようになるからである。
　　　【００２４】
　このように滴下液および受液の濃度を制御することにより、表面部のみが皮膜（ａ１）となった易擦壊性のキャビア状カプセル（Ａ）得られる。この場合、キャビア状カプセル（Ａ）の皮膜（ａ１）が、キャビア状カプセル（Ａ）の擦壊時に残渣として残らないようにすることを念頭に、カプセル化の条件を設定する。なお「易擦壊性」とは、キャビア状カプセル（Ａ）を手のひらにのせて擦ったり肌に押しつけて擦ったときに、容易に破壊する性質を言う。
　　　【００２５】
　滴下液および受液の少なくとも一方には、２液間の界面における皮膜形成反応をコントロールするため、反応遅延剤または反応促進剤を添加することもできる。
　　　【００２６】
　キャビア状カプセル（Ａ）内には油性または／および水溶性の有効成分が含有されるようにする。このような有効成分としては、化粧料として使用可能な薬剤、たとえば、ビタミンＡ、Ｂ、Ｃ、Ｄ、Ｅ、Ｈ、パントテン酸等のビタミン類、卵胞ホルモン、副腎皮質ホルモン等のホルモン類、ジフェニンヒドラジン、配糖体系、ジフェニルイミダゾール系、アズレン誘導体等の抗ヒスタミン剤、収斂剤、アミノ酸類、酵素剤、アラントイン、β−コレスタノールなどが用いられ、これらの薬剤と共にあるいはこれらの薬剤に代えて、天然動植物からの分離物、保湿剤、オイル剤、粘液質、界面活性剤などを用いることもできる。有効成分の配合量は、その種類、得られる効果の程度、使用目的などに応じて適量に設定すればよい。
　　　【００２７】
　上記の有効成分のほか、本発明の趣旨を損なわない限りにおいて、着色剤、香料、フィラー、その他の添加剤を適宜添加することもできる。
　　　【００２８】
　カプセル化は、たとえば、上述の滴下液、すなわち、グリセリンを含む稀薄なアルギン酸ナトリウム水溶液が液滴の全体または液滴の少なくとも周辺側に位置するようにした滴下液をノズルから受液中に滴下させることによりなされ、このとき受液は撹拌状態にもたらしておくことが好ましい。ノズルとしては、単筒式のノズルのほか、二重ノズル、三重ノズル等の多重ノズルを用いることもできる。滴下液を受液と接触させる前に、一旦滴下液を非反応性冷却溶液中に滴下して球状となした後、受液中に投入してキャビア状カプセル（Ａ）とする方法を採用することもできる。
　　　【００２９】
　このようにして得られるキャビア状カプセル（Ａ）の大きさに特に限定はないが、直径で０．１〜３０ｍｍ程度、殊に１〜２０ｍｍ程度とすることが多い。
　　　【００３０】
　上述のようにして製造された易擦壊性のキャビア状カプセル（Ａ）は、液剤（Ｂ）中に浮遊ないし沈降した状態で存在させる。キャビア状カプセル（Ａ）が液剤（Ｂ）中に浮遊するように、液剤（Ｂ）の粘度を調整することも好ましい。
　　　【００３１】
　液剤（Ｂ）としては、水、食塩水、乳液などキャビア状カプセル（Ａ）に対して非反応性である液剤が用いられる。液剤（Ｂ）にも有効成分を含有させるようにし、その場合の有効成分はキャビア状カプセル（Ａ）に内包させる有効成分と同種のものであっても異種のものであってもよい。
　　　【００３２】
　上記の化粧料は、キャビア状カプセル（Ａ）またはこれと液剤（Ｂ）とを必要量取り出しまたは吐出するための取出機構（２）を備えた容器（１）内に収容される。
　　　【００３３】
　そして本発明においては、この取出機構（２）を備えた容器（１）として、容器（１）と蛇腹型の取出機構（２）とが一体型になっていると共に、その取出機構（２）の上部側が作動部（２１）、下部側が開口部（２２）、上部側と下部側との間が容器（１）となっていて、前記のキャビア状カプセル（Ａ）と液剤（Ｂ）とがその容器（１）内に収容されているものを用いる。このような取出機構（２）を備えた容器（１）を用いれば、加圧を利用してキャビア状カプセル（Ａ）を容器（１）から静かに取り出すことができるからである。
　　　【００３４】
　　【作用】
　容器（１）内に収容されているキャビア状カプセル（Ａ）と液剤（Ｂ）とからなる化粧料を使用するにあたっては、取出機構（２）を用いて容器（１）内からキャビア状カプセル（Ａ）と液剤（Ｂ）とを手のひら上に吐出し、ついで肌に擦りつける。手のひら以外の肌に直接落としてから手のひらや指で擦壊することもできる。これによりキャビア状カプセル（Ａ）は容易に擦壊すると共に、好ましい触感が得られ、また有効成分が皮膚に浸透する。
　　　【００３５】
　キャビア状カプセル（Ａ）と液剤（Ｂ）とからなる化粧料にあっては、（Ａ）中の油性成分は皮膜（ａ１）に阻止されて液剤（Ｂ）中には移行しないが、（Ａ）中の水や低分子量の水溶性成分、および（Ｂ）中の水および低分子量の水溶性成分は皮膜（ａ１）を通過して相互に流通する。ただし、水溶性成分であっても分子量の大きいものは皮膜（ａ１）を通して移行することができない。
　　　【００３６】
　　【実施例】
　次に実施例をあげて本発明をさらに説明する。以下「部」、「％」とあるのは重量基準で示したものである。
　　　【００３７】
実施例１
＜化粧料＞
　スクワラン８０部にビタミンＡ、ビタミンＥおよびβ−カロチンをいずれも微量添加し、撹拌溶解した。ついでこのスクワラン溶解液に、エタノール４０部にポリオキシエチレンソルビタンテトラオレイン酸エステル０．３部を溶解したエタノール溶液を混合して油性原料とした。
　　　【００３８】
　別途、精製水１００部にグリセリン２部、第二リン酸ナトリウム０．２部および微量の香料（植物性香料）と着色料（β−カロチン）とを添加して撹拌溶解した水溶液に、さらに濃度２％のアルギン酸ナトリウム水溶液１０部を添加して混合し、水性原料とした。
　　　【００３９】
　上記で調製した油性原料および水性原料を滴下液として用い、二重ノズルを有する押出機より、油性原料が中心側に、水性原料が周辺側になるようにして吐出すると共に、受液として用意した撹拌状態にある濃度０．４％の塩化カルシウム水溶液中に滴下した。これにより、表面部のみが薄い皮膜（ａ１）となった直径約３ｍｍの真球のキャビア状カプセル（Ａ）が円滑に得られた。
　　　【００４０】
　このようにして得られたキャビア状カプセル（Ａ）を液剤（Ｂ）としての乳液または化粧水中に投入し、化粧料とした。
　　　【００４１】
＜化粧用品＞
　図１は本発明の化粧用品の一例を示した断面図である。
　　　【００４２】
　（１）は容器、（２）は取出機構の一例としての蛇腹体であるが、容器（１）と取出機構（２）とは一体型となっている。（２１）は作動部、（２２）は開口部である。（３）は蓋兼用の支持台である。化粧料を構成するキャビア状カプセル（Ａ）と液剤（Ｂ）とは、容器（１）内に収容されており、作動部（２１）を下方に向けて押さえることにより吐出することができる。
　　　【００４３】
　この一連の操作において、キャビア状カプセル（Ａ）を破壊することなく容易に取り出すことができた。
　　　【００４４】
　手のひらの上のキャビア状カプセル（Ａ）を肌に押しつけて潰したところ、軽い反発があった後、はじけるようにして割れたので、そのまま軽く伸ばすように肌に擦りつけたところ、好ましい触感が得られた。なお皮膜残渣は全く残らなかった。
　　　【００４５】
　　【発明の効果】
　本発明の化粧用品にあっては、容器（１）内には高級感ある真球のキャビア状カプセル（Ａ）が液剤（Ｂ）中に存在しており、そのキャビア状カプセル（Ａ）および液剤（Ｂ）中の有効成分を最大限に利用でき、キャビア状カプセル（Ａ）の擦壊時には残渣が残らず、しかも蛇腹型の取出機構（２）とが一体型になっている容器（１）からキャビア状カプセル（Ａ）および液剤（Ｂ）の必要量を静かに取り出すことができるので使い勝手が極めて良好である。
【図面の簡単な説明】
　　　【図１】
　本発明の化粧用品の一例を示した断面図である。
　　　【符号の説明】
　（１）…容器、（２）…取出機構、（２１）…作動部、（２２）…開口部、（３）…支持台、（Ａ）…キャビア状カプセル、（Ｂ）…液剤
【図面】
【図１】